(57)【要約】【課題】ベースプレート部が合成樹脂製の車両用ペダルブラケットにおいて、その取付部分から車室内に侵入するエンジンルームの騒音を、部品点数や作業工数の増加を招くことなく簡便な手法で低減する。【解決手段】ベースプレート部３０の裏面にスペーサ３６の外周面に密着するように保持部３４が突設されているとともに、その保持部３４を除いてダッシュパネル１２に対面する部分には多数の有底穴５８を有する吸音構造部６０が設けられているため、そのペダルブラケット１４の取付部分から車室内に侵入するエンジンルームの騒音を適切に低減できる。上記保持部３４および吸音構造部６０を備えるベースプレート部３０は合成樹脂材料にて一体に構成されているため、部品点数や作業工数の増加を招くことなく安価に構成することができる。【選択図】図１
2014004906.tif 000002
【特許請求の範囲】
【請求項１】
エンジンルームと車室とを区切るダッシュパネルの車室側に固定される板状のベースプレート部と、
該ベースプレート部に一体的に設けられてペダルアームを回動可能に軸支する支持部と、
前記ベースプレート部を前記ダッシュパネルから離間して固定するために、該ベースプレート部から該ダッシュパネル側へ向かって突き出すように該ベースプレート部に一体的に設けられる複数の筒形状のスペーサと
を有し、該複数のスペーサ内をそれぞれ挿通させられた複数のねじ部材により前記ダッシュパネルに固定される車両用ペダルブラケットにおいて、
前記ベースプレート部の前記ダッシュパネル側の裏面には、前記複数のスペーサの外周面に密着するように複数の筒形状の保持部が突設されているとともに、該保持部を除いて前記ダッシュパネルに対面する部分には多数の有底穴を有する吸音構造部が設けられており、
前記保持部および前記吸音構造部を備える前記ベースプレート部が合成樹脂材料にて一体に構成されている
ことを特徴とする車両用ペダルブラケット。
【請求項２】
前記ベースプレート部の裏面には、前記複数の保持部を互いに連結するように補強リブが一体に設けられている
ことを特徴とする請求項１に記載の車両用ペダルブラケット。
【請求項３】
前記ベースプレート部は、発泡剤を含有した合成樹脂材料にて一体成形されており、該ベースプレート部の内部には膨張成形によって発泡層が設けられている
ことを特徴とする請求項１または２に記載の車両用ペダルブラケット。
【発明の詳細な説明】
【技術分野】
【０００１】
本発明は車両用ペダルブラケットに係り、特に、その車両用ペダルブラケットの取付部分から車室内に侵入するエンジンルームの騒音を簡便な手法で低減する技術に関するものである。
【背景技術】
【０００２】
(a) エンジンルームと車室とを区切るダッシュパネルの車室側に固定される板状のベースプレート部と、(b) そのベースプレート部に一体的に設けられてペダルアームを回動可能に軸支する支持部と、(c) 前記ベースプレート部を前記ダッシュパネルから離間して固定するために、そのベースプレート部からそのダッシュパネル側へ向かって突き出すようにそのベースプレート部に一体的に設けられる複数の筒形状のスペーサとを有し、(d) その複数のスペーサ内をそれぞれ挿通させられた複数のねじ部材により前記ダッシュパネルに固定される車両用ペダルブラケットが知られている。特許文献１に記載の装置はその一例で、内部にスペーサが設けられるとともに加熱発泡によるインシュレータ（吸音材）が充填された箱型ブラケットの蓋部がベースプレート部として機能するようになっている。
【先行技術文献】
【特許文献】
【０００３】
【特許文献１】実開平２−１１７９５９号公報
【発明の概要】
【発明が解決しようとする課題】
【０００４】
しかしながら、このような従来の車両用ペダルブラケットにおいては、底部と蓋部とを結合して内部に加熱発泡によるインシュレータを充填した箱型ブラケットが必要であるため、部品点数や作業工数が多くなって製造コストが高くなる。また、加熱発泡により吸音材が構成されるため、合成樹脂製のペダルブラケットには適用することが難しかった。
【０００５】
本発明は以上の事情を背景として為されたもので、その目的とするところは、ベースプレート部が合成樹脂製の車両用ペダルブラケットにおいて、その取付部分から車室内に侵入するエンジンルームの騒音を、部品点数や作業工数の増加を招くことなく簡便な手法で低減することにある。
【課題を解決するための手段】
【０００６】
かかる目的を達成するために、第１発明は、(a) エンジンルームと車室とを区切るダッシュパネルの車室側に固定される板状のベースプレート部と、(b) そのベースプレート部に一体的に設けられてペダルアームを回動可能に軸支する支持部と、(c) 前記ベースプレート部を前記ダッシュパネルから離間して固定するために、そのベースプレート部からそのダッシュパネル側へ向かって突き出すようにそのベースプレート部に一体的に設けられる複数の筒形状のスペーサとを有し、(d) その複数のスペーサ内をそれぞれ挿通させられた複数のねじ部材により前記ダッシュパネルに固定される車両用ペダルブラケットにおいて、(e) 前記ベースプレート部の前記ダッシュパネル側の裏面には、前記複数のスペーサの外周面に密着するように複数の筒形状の保持部が突設されているとともに、その保持部を除いて前記ダッシュパネルに対面する部分には多数の有底穴を有する吸音構造部が設けられており、(f) 前記保持部および前記吸音構造部を備える前記ベースプレート部が合成樹脂材料にて一体に構成されていることを特徴とする。
【０００７】
第２発明は、第１発明の車両用ペダルブラケットにおいて、前記ベースプレート部の裏面には、前記複数の保持部を互いに連結するように補強リブが一体に設けられていることを特徴とする。
【０００８】
第３発明は、第１発明または第２発明の車両用ペダルブラケットにおいて、前記ベースプレート部は、発泡剤を含有した合成樹脂材料にて一体成形されており、そのベースプレート部の内部には膨張成形によって発泡層が設けられていることを特徴とする。
【発明の効果】
【０００９】
このような車両用ペダルブラケットにおいては、ベースプレート部の裏面にスペーサの外周面に密着するように複数の筒形状の保持部が突設されているとともに、その保持部を除いてダッシュパネルに対面する部分には多数の有底穴を有する吸音構造部が設けられているため、そのペダルブラケットの取付部分から車室内に侵入するエンジンルームの騒音を適切に低減できる。すなわち、エンジンルームの騒音は、主にねじ部材やスペーサを介して車室側へ伝達されるが、スペーサは合成樹脂製の保持部に密着させられているため、その保持部によって騒音振動が適切に吸収される。ねじ部材もスペーサに接触しているため、そのねじ部材を伝わる騒音振動もスペーサを介して保持部によって良好に吸収される。また、保持部の外側の空間を伝わる騒音振動は、吸音構造部の多数の有底穴内に進入して反射を繰り返すことにより減衰させられる。
【００１０】
一方、上記保持部および吸音構造部を備えるベースプレート部は合成樹脂材料にて一体に構成されているため、部品点数や作業工数の増加を招くことなく安価に構成することができる。
【００１１】
第２発明では、複数の保持部を互いに連結するように補強リブが設けられているため、保持部によってスペーサが一層強固に保持されるようになり、所定の強度を維持しつつスペーサの肉厚を小さくして軽量化を図ることができる。
【００１２】
第３発明では、ベースプレート部が発泡剤を含有した合成樹脂材料にて一体成形されており、そのベースプレート部の内部には膨張成形によって発泡層が設けられているため、多数の有底穴を有する吸音構造部と相まってエンジンルームからの騒音を一層効果的に低減できる。
【図面の簡単な説明】
【００１３】
【図１】本発明の一実施例である車両用ペダルブラケットを有する常用ブレーキ用の車両用ブレーキペダル装置の一例を示す図で、一部を切り欠いた側面図である。
【図２】図１の車両用ペダルブラケットのベースプレート部を裏面側から見た背面図である。
【図３】図２における III−III 矢視部分の断面図である。
【図４】図３におけるIV部の拡大図である。
【図５】図１の車両用ペダルブラケットが取り付けられるダッシュパネルの取付部位を示す正面図である。
【図６】図５のダッシュパネルにインシュレータが取り付けられた状態を示す正面図である。
【図７】本発明の他の実施例を示す図で、図１に対応する一部を切り欠いた側面図である。
【図８】本発明の更に別の実施例を示す図で、吸音構造部の拡大断面図である。
【図９】本発明の更に別の実施例を示す図で、図３に対応する断面図である。
【図１０】図９の実施例の発泡層を形成する際の膨張成形を説明する断面図である。
【図１１】本発明の更に別の実施例を示す図で、図２に対応するベースプレート部の背面図である。
【図１２】図１１における XII−XII 矢視断面図である。
【発明を実施するための形態】
【００１４】
本発明は、オペレーティングロッド等によりペダル操作力を伝達するために、インシュレータに穴を空けてダッシュパネルに直接固定される車両用ペダルブラケット、例えばブレーキペダルやブレーキアクセル一体型ペダルなどのペダルブラケットに好適に適用されるが、ダッシュパネルとの間にインシュレータを挟んで取り付けられる車両用ペダルブラケットに適用することも可能である。
【００１５】
ペダルアームを軸支する支持部は、例えばペダルアームの両側に一対設けられ、ベースプレート部と一体に合成樹脂材料にて構成することができるが、金属等により別体に構成してインサート成形や溶融かしめ加工、或いは他の固定手段によりベースプレート部に一体的に固定しても良い。スペーサを利用して固定することもできる。ねじ部材によりベースプレート部をダッシュパネルに取り付ける際に、そのねじ部材によって支持部をベースプレート部に一体的に固定しても良いが、組付作業性の点で予めベースプレート部に固定しておくことが望ましい。
【００１６】
スペーサは金属等の高強度材料にて構成され、インサート成形や圧入によって保持部に一体的に固定される。スペーサは、円筒形状等の単純な筒形状の部材であっても良いが、一端部に外向きのフランジが設けられ、そのフランジがベースプレート部の表面（ダッシュパネルと反対側の面）に密着するように固定されても良い。このスペーサ内を挿通させられるねじ部材は、例えばエンジンルーム側に配設されるブレーキブースタに設けられたスタッドボルトなどで、スペーサ内を通過して車室側へ突き出す先端部にナットが螺合されて、スペーサの端部に当接するように締結されることにより、ベースプレート部がスペーサを介してダッシュパネルに一体的に固定される。車室側からスペーサ内にボルトを挿入し、エンジンルーム側に設けられたナット部材に螺合して、ベースプレート部をダッシュパネルに固定することもできる。スペーサは円筒形状が望ましいが、角筒形状であっても良いし、径寸法が徐々に変化しているテーパ形状などでも良い。スペーサの外周面に密着するように設けられる保持部についても、スペーサと同様に種々の態様が可能である。保持部は、スペーサの外周面の全周に密着していることが望ましいが、外周面の一部に密着しているだけでも騒音振動を吸収する効果が得られる。
【００１７】
吸音構造部の有底穴は、径寸法が一定の円穴であっても良いが、底部に向かうに従って径寸法が小さくなるテーパ穴であっても良いし、断面が多角形の角穴や深さ寸法が比較的小さい半球形状等の凹所などでも良い。これ等の有底穴は、例えばダッシュパネルに対して垂直方向に設けられる。また、上下左右方向に等間隔で規則的に設けることが望ましいが、ランダムに設けることもできる。
【００１８】
ベースプレート部を構成する合成樹脂材料としては、発泡剤を含有した熱可塑性樹脂等の合成樹脂材料が好適に用いられ、コアバックによる膨張成形により内部に発泡層を設けることが望ましいが、発泡剤を含有しない合成樹脂材料にて構成することも可能である。ベースプレート部には保持部が一体に設けられるが、その保持部にまで膨張成形で発泡層が設けられることは適当でなく、保持部を除く板状部分にだけ膨張成形を施して発泡層を設けることが望ましい。すなわち、ベースプレート部の裏面側の成形型を、保持部を成形するものと、保持部を除く板状部分を成形するものとに分割し、板状部分を成形するものだけコアバックさせて膨張成形すれば良い。
【００１９】
ベースプレート部には、例えばオペレーティングロッド等の出力部材を挿通させる挿通穴が設けられ、上記スペーサや保持部は、その挿通穴の周囲に複数（例えば４本）設けられる。出力部材を挿通させる挿通穴をベースプレート部に設けることなく、車両用ペダルブラケットから離間した位置に出力部材が配設される場合にも本発明は適用され得る。
【００２０】
第２発明では、ベースプレート部の裏面に補強リブが設けられているが、他の発明の実施に際しては必ずしも補強リブを設ける必要はなく、必要に応じて適宜設けられれば良い。補強リブが設けられる場合、多数の有底穴を有する吸音構造部や発泡層は、保持部および補強リブを除いた部分に設けることが望ましい。
【実施例】
【００２１】
以下、本発明の実施例を、図面を参照しつつ詳細に説明する。
図１は、本発明が常用ブレーキ用の車両用ブレーキペダル装置１０に適用された場合の一例を示す図で、その車両用ブレーキペダル装置１０の一部を切り欠いた側面図である。この車両用ブレーキペダル装置１０は、エンジンルームと車室とを区切るダッシュパネル１２の車室側に配設された車両用ペダルブラケット１４と、その車両用ペダルブラケット１４に略水平な支持軸１６の軸心まわりに回動可能に軸支されたペダルアーム１８とを有する。そして、ペダルアーム１８の下端部に設けられたペダルシート２０が運転者によって踏込み操作されると、ペダルアーム１８の中間位置にクレビスを介して連結されたオペレーティングロッド２２が車両前方（図１の左方向）へ押圧され、ダッシュパネル１２のエンジンルーム側に配設されたブレーキブースタ２４により倍力されて、常用ブレーキ用のブレーキ油圧が発生させられる。
【００２２】
車両用ペダルブラケット１４は、ダッシュパネル１２に一体的に固定される板状のベースプレート部３０と、そのベースプレート部３０の表面側すなわち運転席に対面する側の面の左右両側に設けられた一対の支持部３２とを有し、その一対の支持部３２に跨がって配設された支持軸１６にペダルアーム１８が回動可能に配設されている。また、ベースプレート部３０の裏面側すなわちダッシュパネル１２に対面する側の面には、複数の円筒形状の保持部３４がそのダッシュパネル１２に向かって突き出すように垂直に突設されているとともに、その保持部３４内にはそれぞれ金属製の円筒形状のスペーサ３６が圧入またはインサート成形により一体的に固設されている。スペーサ３６の外周面は、略全周に亘って保持部３４の内周面に密着させられている。本実施例では、ベースプレート部３０、一対の支持部３２、および複数の保持部３４が熱可塑性樹脂により一体成形されている。
【００２３】
上記スペーサ３６は、軸方向の一端部に外向きのフランジ３８を有し、そのフランジ３８がベースプレート部３０の表面に密着するように配設されることにより、他端部が保持部３４の先端面と略面一になり、その保持部３４の先端面と共にダッシュパネル１２に直接当接させられている。すなわち、ダッシュパネル１２の車室側には防音のためにフェルト等の柔軟性を有するインシュレータ４０が取り付けられているが、車両用ペダルブラケット１４が固定される部分には取付穴４２が設けられ、上記保持部３４およびスペーサ３６がダッシュパネル１２に直接当接させられるようになっている。そして、このスペーサ３６には、前記ブレーキブースタ２４に立設されたスタッドボルト４４がダッシュパネル１２側から挿通させられ、車室内に突き出す先端部にナット４６が螺合されてフランジ３８に当接するように締結されることにより、ベースプレート部３０がダッシュパネル１２から離間する状態で、車両用ペダルブラケット１４がダッシュパネル１２に所定の取付強度で固定される。スタッドボルト４４はねじ部材に相当する。
【００２４】
図２は、上記車両用ペダルブラケット１４のベースプレート部３０を裏面側から見た背面図で、図３は図２における III−III 矢視部分の断面図である。これ等の図２、図３では、スペーサ３６が省略されている。図２から明らかなようにベースプレート部３０は略長方形状を成しており、その中央部分には、オペレーティングロッド２２を挿通させるための挿通穴５０が設けられている。前記保持部３４は、その挿通穴５０の周囲に４本突設されており、前記スタッドボルト４４はこれ等の保持部３４に対応して４本設けられている。図５は、車両用ペダルブラケット１４が取り付けられるダッシュパネル１２の取付部位を車室内側から見た正面図で、オペレーティングロッド２２を挿通させるための挿通穴５２が設けられているとともに、その周囲にはスタッドボルト４４を挿通させるための４個の挿通穴５４が設けられている。また、図６は、ダッシュパネル１２にインシュレータ４０が取り付けられた状態を示す正面図で、斜線を付した部分がインシュレータ４０である。図６の一点鎖線はベースプレート部３０の外形線で、前記取付穴４２はベースプレート部３０の内側に定められており、ベースプレート部３０の外周部に設けられた押え部５６により取付穴４２の周縁部がダッシュパネル１２との間で挟圧されて位置決めされるとともに、インシュレータ４０の取付穴４２の周縁部が閉塞されて騒音が車室内へ漏れることが抑制される。押え部５６は、ベースプレート部３０の外周部の全周をダッシュパネル１２に向かって傾斜させた部分で、図１に示すように先端部（外周縁）がインシュレータ４０に食い込んで位置決めする。
【００２５】
上記ベースプレート部３０の裏面にはまた、図２および図３に示すように、保持部３４を除いてダッシュパネル１２に対面する部分に多数の有底穴５８が設けられている。これ等の有底穴５８は、傾斜した押え部５６を含めて何れもダッシュパネル１２に対して垂直方向に設けられているとともに、図３のIV部を拡大して示す図４から明らかなように底部側程小径となるテーパ穴で、その開口部の径寸法ｄは２〜７ｍｍ程度の範囲内である。この多数の有底穴５８が設けられたベースプレート部３０の裏面の表層部分は、エンジンルームの騒音振動を有底穴５８の内周面で何度も反射して減衰させる吸音構造部６０として機能する。なお、図１では有底穴５８が省略されている。
【００２６】
ここで、このような車両用ペダルブラケット１４においては、インシュレータ４０に取付穴４２が設けられてスペーサ３６や保持部３４がダッシュパネル１２に直接当接させられるため、高い取付強度でダッシュパネル１２に取り付けることができる。しかしながら、取付穴４２の内側ではインシュレータ４０による防音作用が得られないとともに、金属製のスペーサ３６がダッシュパネル１２に直接当接させられるため、エンジンルームの騒音が車室内に伝わり易くなる。
【００２７】
これに対し、本実施例の車両用ペダルブラケット１４は、ベースプレート部３０の裏面にスペーサ３６の外周面に密着するように円筒形状の保持部３４が突設されているとともに、その保持部３４を除いてダッシュパネル１２に対面する部分には多数の有底穴５８を有する吸音構造部６０が設けられているため、そのペダルブラケット１４の取付部分から車室内に侵入するエンジンルームの騒音を適切に低減できる。すなわち、エンジンルームの騒音は、主にスタッドボルト４４やスペーサ３６を介して車室側へ伝達されるが、スペーサ３６は合成樹脂製の保持部３４に密着させられているため、その保持部３４によって騒音振動が適切に吸収される。スタッドボルト４４もスペーサ３６に接触しているため、そのスタッドボルト４４を伝わる騒音振動もスペーサ３６を介して保持部３４によって良好に吸収される。また、保持部３４の外側の空間を伝わる騒音振動は、吸音構造部６０の多数の有底穴５８内に進入して反射を繰り返すことにより減衰させられる。
【００２８】
特に、本実施例ではベースプレート部３０の外周部がインシュレータ４０の取付穴４２の外周側まで達しているとともに、ベースプレート部３０の外周部には押え部５６が設けられ、インシュレータ４０の取付穴４２の周縁部がダッシュパネル１２との間で挟圧されて閉塞されるため、騒音が車室内へ漏れることが抑制されて一層高い防音効果が得られる。
【００２９】
一方、本実施例の車両用ペダルブラケット１４は、前記保持部３４および吸音構造部６０を備えるベースプレート部３０が合成樹脂材料にて一体に構成されているため、部品点数や作業工数の増加を招くことなく安価に構成することができる。
【００３０】
次に、本発明の他の実施例を説明する。なお、以下の実施例において前記実施例と実質的に共通する部分には同一の符号を付して詳しい説明を省略する。
【００３１】
図７の車両用ペダルブラケット７０は、断面コの字形状（角張ったＵ字形状）に曲げられた金属製の支持部材７２をベースプレート部３０と別体に構成したもので、例えばスペーサ３６を保持部３４内に圧入固定する際に、そのスペーサ３６のフランジ３８によって支持部材７２の背部７４をベースプレート部３０に押圧することにより、ベースプレート部３０に一体的に固定することができる。或いは、インサート成形によって支持部材７２およびスペーサ３６をベースプレート部３０に一体的に固設することもできる。支持部材７２は、背部７４の両側の互いに平行な一対の側壁７６が支持部として機能し、それ等の側壁７６に跨がって支持軸１６が配設されてペダルアーム１８が回動可能に支持される。
【００３２】
図８は、吸音構造部６０の別の例を示す図で、前記図４に対応する断面図である。この吸音構造部６０は、多数の有底穴７８が、径寸法が一定の円筒穴の場合で、この有底穴７８の径寸法は前記径寸法ｄと同じ大きさに設定される。
【００３３】
図９は前記図３に対応する断面図で、ベースプレート部８０の内部に発泡層８２を設けた場合である。すなわち、このベースプレート部８０は、発泡剤を含有した熱可塑性樹脂を用いて一体成形されているとともに、図１０に示すように一対の成形型８４、８６で成形した後に、完全に冷却硬化する前にベースプレート部８０の裏面側の成形型８４の一部８４ａ、８４ｃ、８４ｅを一定寸法だけ後退（コアバック）させる。これにより、保持部３４を除いた板状部分すなわち吸音構造部６０が設けられた部分が膨張成形され、発泡剤の発泡により吸音構造部６０の内部に発泡層８２が形成される。成形型８４は、保持部３４を成形する部分８４ｂ、８４ｄと、保持部３４以外の板状部分を成形する部分８４ａ、８４ｃ、８４ｅとが別体に構成される。
【００３４】
このようにベースプレート部８０に発泡層８２が設けられることにより、多数の有底穴５８を有する吸音構造部６０と相まってエンジンルームからの騒音を一層効果的に低減できる。
【００３５】
図１１は、前記図２に相当する図で、ベースプレート部３０の背面図であり、図１２は図１１における XII−XII 矢視断面図である。このベースプレート部３０の裏面には、前記複数の保持部３４を互いに連結するように複数の補強リブ８８が設けられているとともに、保持部３４と前記押え部５６との間にも、補強リブ８８の延長線上に三角形状の補強リブ９０が設けられている。このように補強リブ８８、９０が設けられることにより、保持部３４によってスペーサ３６が一層強固に保持されるようになり、所定の強度を維持しつつスペーサ３６の肉厚を小さくして軽量化を図ることができる。なお、図１２では有底穴５８が省略されている。
【００３６】
以上、本発明の実施例を図面に基づいて詳細に説明したが、これ等はあくまでも一実施形態であり、本発明は当業者の知識に基づいて種々の変更、改良を加えた態様で実施することができる。
【符号の説明】
【００３７】
１２：ダッシュパネル    １４、７０：車両用ペダルブラケット    １８：ペダルアーム    ３０、８０：ベースプレート部    ３２：支持部    ３４：保持部    ３６：スペーサ    ４４：スタッドボルト（ねじ部材）    ５８、７８：有底穴    ６０：吸音構造部    ７６：側壁（支持部）    ８２：発泡層    ８８：補強リブ
【図１】
2014004906.tif 000003
【図２】
2014004906.tif 000004
【図３】
2014004906.tif 000005
【図４】
2014004906.tif 000006
【図５】
2014004906.tif 000007
【図６】
2014004906.tif 000008
【図７】
2014004906.tif 000009
【図８】
2014004906.tif 000010
【図９】
2014004906.tif 000011
【図１０】
2014004906.tif 000012
【図１１】
2014004906.tif 000013
【図１２】
2014004906.tif 000014